(57)【要約】【課題】クーポン券の利用率を高めて販売促進を図る。【解決手段】クーポン券の発券装置１は、発券時刻からの経過時間に応じて特典の内容が変化する複数の販売促進情報を記憶したクーポン情報ＤＢ１３を備える。入力装置２から一の販売促進情報を記載したクーポン券の発券要求を受け付けると、制御部１１は、この発券要求に基づいて発券要求のあった一の販売促進情報をクーポン情報ＤＢ１３から取得する。そして、プリンタ４が発券時刻、および取得した販売促進情報を記載したクーポン券を発券する。【選択図】  図１
2004272463.tif 000002
【特許請求の範囲】
【請求項１】
発券時刻からの経過時間に応じて特典の内容が変化する複数の販売促進情報を記憶した販促情報記憶手段と、
一の販売促進情報を記載したクーポン券の発券要求を受け付ける受付手段と、
前記受付手段が受け付けた発券要求に基づいて、前記販促情報記憶手段から前記一の販売促進情報を取得する取得手段と、
発券時刻、および前記取得手段が取得した販売促進情報を記載したクーポン券を発券する発券手段とを備えるクーポン券の発券装置。
【請求項２】
前記発券手段は、前記発券時刻および前記販売促進情報を識別するためのバーコードを前記クーポン券にさらに記載する請求項１記載のクーポン券の発券装置。
【請求項３】
前記発券装置から前記店舗までの距離に基づいて、前記取得手段が取得した販売促進情報を変更する手段をさらに備え、
前記発券手段は、前記取得手段が取得した販売促進情報の代わりに、前記変更手段によって変更された販売促進情報を記載したクーポン券を発券する請求項１記載のクーポン券の発券装置。
【請求項４】
前記発券時刻が予め定められた所定の時間帯に属するとき、前記取得手段が取得した販売促進情報を変更する手段をさらに備え、
前記発券手段は、前記取得手段が取得した販売促進情報の代わりに、前記変更手段によって変更された販売促進情報を記載したクーポン券を発券する請求項１記載のクーポン券の発券装置。
【請求項５】
前記発券装置近辺の天気情報を記憶する天気情報記憶手段と、
前記天気情報記憶手段に記憶されている天気情報に基づいて、前記取得手段が取得した販売促進情報を変更する手段と、をさらに備え、
前記発券手段は、前記取得手段が取得した販売促進情報の代わりに、前記変更手段によって変更された販売促進情報を記載したクーポン券を発券する請求項１記載のクーポン券の発券装置。
【請求項６】
時間帯別発券数の過去の実績を記憶した時間帯別発券数記憶手段と、
現在時刻に対応する前記過去の実績と現在の発券状況とに基づいて、前記取得手段が取得した販売促進情報を変更する手段と、をさらに備え、
前記発券手段は、前記取得手段が取得した販売促進情報の代わりに、前記変更手段によって変更された販売促進情報を記載したクーポン券を発券する請求項１記載のクーポン券の発券装置。
【請求項７】
前記販促情報記憶手段に記憶された販売促進情報は、前記発券装置に接続された情報処理装置から更新可能である請求項１記載のクーポン券の発券装置。
【請求項８】
前記発券手段は、さらに、前記クーポン券を識別する識別情報を前記クーポン券に記載する請求項１記載のクーポン券の発券装置。
【請求項９】
売上金または来客数に関する情報を記憶した売上データ記憶手段と、
前記売上データ記憶手段に記憶されている情報に基づいて、前記取得手段が取得した販売促進情報を変更する変更手段とをさらに備え、
前記発券手段は、前記取得手段が取得した販売促進情報の代わりに、前記変更手段によって変更された販売促進情報を記載したクーポン券を発券する請求項１記載のクーポン券の発券装置。
【請求項１０】
前記変更手段は、割引限界率または割引限界額を算出し、これに基づいて前記販売促進情報を変更する請求項９記載のクーポン券の発券装置。
【請求項１１】
発券時刻からの経過時間に応じて特典の内容が変化する複数の販売促進情報を記憶した販促情報記憶手段と、
一の販売促進情報を記載したクーポン券の発券要求を受け付ける受付手段と、
現在時刻を取得する手段と、
前記受付手段が受け付けた発券要求に基づいて、前記販促情報記憶手段から前記一の販売促進情報を取得する取得手段と、
前記一の販売促進情報に含まれる発券時刻からの経過時間を、現在時刻に基づいて変換して、各特典が受けられる最終時刻を算出する手段と、
前記一の販売促進情報に含まれる特典の内容と、その特典が受けられる前記最終時刻とを記載したクーポン券を発券する手段とを備えるクーポン券の発券装置。
【請求項１２】
前記算出手段は、さらに、前記発券装置から前記店舗へ到達するまでに要する予想所要時間に基づいて、前記最終時刻を算出する請求項１１記載のクーポン券の発券装置。
【請求項１３】
発券時刻からの経過時間に応じて特典の内容が変化する複数の販売促進情報を記憶した販促情報記憶手段と、
顧客の識別情報の入力を受け付ける第１の受付手段と、
一の販売促進情報を記載したクーポン券の発券要求を受け付ける第２の受付手段と、
顧客の識別情報と、顧客の利用実績とを対応付けて記憶した顧客情報記憶手段と、
第１の受付手段が受け付けた識別情報の顧客の利用実績に基づいて、第２の受付手段が発券要求を受け付けた一の販売促進情報を変更する手段と、
第１の受付手段が受け付けた顧客の識別情報、発券時刻、および前記変更後の販売促進情報を記載したクーポン券を発券する発券手段と、
前記クーポン券に記載されている顧客の識別情報の入力を受け付け、これに基づいて前記顧客情報記憶手段に記憶されている利用実績を更新する手段と、を備える販売促進システム。
【請求項１４】
クーポン券の発券装置と、クーポン券に記載されている情報の入力を受け付ける入力装置と、顧客情報記憶装置とを備えたクーポン券を利用した販売促進システムであって、
前記顧客情報記憶装置は、
顧客の識別情報と、顧客ランクとを対応付けて記憶する手段と、
前記顧客ランクを更新する手段とを備え、
前記発券装置は、
発券時刻からの経過時間に応じて特典の内容が変化する複数の販売促進情報を記憶した販促情報記憶手段と、
顧客の識別情報の入力を受け付ける第１の受付手段と、
一の販売促進情報を記載したクーポン券の発券要求を受け付ける第２の受付手段と、
顧客の識別情報と、顧客の過去の利用実績とを対応付けて記憶した顧客情報記憶手段と、
第１の受付手段が受け付けた識別情報の顧客の過去の利用実績に基づいて、第２の受付手段が発券要求を受け付けた一の販売促進情報を変更する手段と、
発券するクーポン券を識別する識別情報、発券時刻、および前記変更後の販売促進情報を記載したクーポン券を発券する発券手段と、
前記クーポン券の識別情報と、第１の受付手段が受け付けた顧客の識別情報と、前記クーポン券の利用状況を示す情報とを記憶したクーポン券の発行履歴記憶手段と、
前記入力装置からの通知に基づいて、前記クーポン券の利用状況を示す情報を更新する手段とを備え、
前記入力装置は、
前記クーポン券の識別情報の入力を受け付ける第３の受付手段と、
第３の受付手段が受け付けた識別情報を前記発券装置へ通知する手段とを備え、
前記顧客ランク更新手段は、前記発行履歴記憶手段のクーポン券の利用状況を示す情報に基づいて、前記顧客ランクを更新する販売促進システム。
【請求項１５】
クーポン券の発券要求を受け付けるステップと、
発券要求を受け付けたクーポン券に記載するために、発券時刻からの経過時間に応じて特典の内容が変化する販売促進情報を取得するステップと、
前記取得した販売促進情報および発券時刻を記載したクーポン券を発券するステップとを備えるクーポン券の発券方法。
【請求項１６】
クーポン券の発券要求を受け付けるステップと、
前記発券要求を受け付けると、発券時刻からの経過時間に応じて特典の内容が変化する販売促進情報を取得するステップと、
前記取得した販売促進情報に含まれる発券時刻からの経過時間を、現在時刻に基づいて変換して、各特典が受けられる最終時刻を算出するステップと、
前記取得した販売促進情報に含まれる特典の内容と、その特典が受けられる前記最終時刻とを記載したクーポン券を発券するステップとを備えるクーポン券の発券方法。
【請求項１７】
顧客の識別情報およびクーポン券の発券要求を受け付けるステップと、
発券要求を受け付けると、発券時刻からの経過時間に応じて特典の内容が変化する販売促進情報を取得するステップと、
前記識別情報を受け付けた顧客の利用実績に基づいて、前記販売促進情報を変更するステップと、
前記変更後の販売促進情報を記載したクーポン券を発券するステップと、
発券されたクーポン券が利用されると、前記識別情報を受け付けた顧客の利用実績を更新するステップとを備える販売促進方法。
【発明の詳細な説明】
【０００１】
【発明の属する技術分野】
本発明は、販売促進のための技術に関し、特に受けられる特典を記載したクーポン券の発券装置を用いた販売促進のための技術に関する。
【０００２】
【従来の技術】
商品やサービスの割引等の特典が受けられるクーポン券を発券するいわゆるＫＩＯＳＫ端末と呼ばれる端末が、コンビニエンスストアや駅前、繁華街などに設置されている。顧客は、この端末でクーポン券を取得して、各店舗にそのクーポン券を持参することにより、クーポン券に記載されている特典を受けることができる。店舗は、このクーポン券により販売促進を図ることができる。
【０００３】
【発明が解決しようとする課題】
しかしながら、ＫＩＯＳＫ端末がクーポン券を発券しても、実際には店舗で利用されないものも少なくない。あるいは、顧客がとりあえずクーポン券を取得したものの、そのまま長い時間使われずに放置されてしまうケースも多い。店舗にとっては、クーポン券が利用されてはじめて販売促進が図れるのであるから、クーポン券の利用率を高めたいという希望がある。
【０００４】
本発明の目的は、クーポン券の利用率を高めて販売促進を図るための技術を提供することである。
【０００５】
本発明の他の目的は、クーポン券の利用率を高めるための技術を提供することである。
【０００６】
本発明のさらに他の目的は、クーポン券の発券から利用までの時間を短くするための技術を提供することである。
【０００７】
【課題を解決するための手段】
本発明の一つの実施態様に従うクーポン券の発券装置は、発券時刻からの経過時間に応じて特典の内容が変化する複数の販売促進情報を記憶した販促情報記憶手段と、一の販売促進情報を記載したクーポン券の発券要求を受け付ける受付手段と、前記受付手段が受け付けた発券要求に基づいて、前記販促情報記憶手段から前記一の販売促進情報を取得する取得手段と、発券時刻、および前記取得手段が取得した販売促進情報を記載したクーポン券を発券する発券手段とを備える。これにより、クーポン券を取得した顧客に対して、クーポン券を早く使うように動機付けを与えることができる。
【０００８】
好適な実施形態では、前記発券手段は、前記発券時刻および前記販売促進情報を識別するためのバーコードを前記クーポン券にさらに記載するようにしてもよい。これにより、クーポン券の利用時に発券時刻および販売促進情報をバーコードリーダで読み込むことができる。
【０００９】
好適な実施形態では、前記発券装置から前記店舗までの距離に基づいて、前記取得手段が取得した販売促進情報を変更する手段をさらに備え、前記発券手段は、前記取得手段が取得した販売促進情報の代わりに、前記変更手段によって変更された販売促進情報を記載したクーポン券を発券するようにしてもよい。これにより、発券装置から店舗までの距離に応じて販売促進情報を変化させることができる。
【００１０】
好適な実施形態では、前記発券時刻が予め定められた所定の時間帯に属するとき、前記取得手段が取得した販売促進情報を変更する手段をさらに備え、前記発券手段は、前記取得手段が取得した販売促進情報の代わりに、前記変更手段によって変更された販売促進情報を記載したクーポン券を発券するようにしてもよい。これにより、混雑する時間帯とそうでない時間帯とで販売促進情報を変化させることができる。
【００１１】
好適な実施形態では、前記発券装置近辺の天気情報を記憶する天気情報記憶手段と、前記天気情報記憶手段に記憶されている天気情報に基づいて、前記取得手段が取得した販売促進情報を変更する手段と、をさらに備え、前記発券手段は、前記取得手段が取得した販売促進情報の代わりに、前記変更手段によって変更された販売促進情報を記載したクーポン券を発券することもできる。これにより、天気に応じて販売促進情報を変化させることができる。
【００１２】
好適な実施形態では、時間帯別発券数の過去の実績を記憶した時間帯別発券数記憶手段と、現在時刻に対応する前記過去の実績と現在の発券状況とに基づいて、前記取得手段が取得した販売促進情報を変更する手段と、をさらに備え、前記発券手段は、前記取得手段が取得した販売促進情報の代わりに、前記変更手段によって変更された販売促進情報を記載したクーポン券を発券するようにすることができる。これにより、通常の同時間帯の発券状況と比較結果に基づいて、販売促進情報を変更することができる。
【００１３】
好適な実施形態では、前記販促情報記憶手段に記憶された販売促進情報は、前記発券装置に接続された情報処理装置から更新可能であるようにしてもよい。これにより、機動的に販売促進情報を変更でき、販売促進効果を高めることができる。
【００１４】
好適な実施形態では、前記発券手段は、さらに、前記クーポン券を識別する識別情報を前記クーポン券に記載するようにしてもよい。これにより、クーポン券の識別情報で抽選を行うようなことも可能となる。
【００１５】
好適な実施形態では、売上金または来客数に関する情報を記憶した売上データ記憶手段と、前記売上データ記憶手段に記憶されている情報に基づいて、前記取得手段が取得した販売促進情報を変更する変更手段とをさらに備え、前記発券手段は、前記取得手段が取得した販売促進情報の代わりに、前記変更手段によって変更された販売促進情報を記載したクーポン券を発券することもできる。
【００１６】
さらにこのときに、前記変更手段は、割引限界率または割引限界額を算出し、これに基づいて前記販売促進情報を変更することもできる。これにより、売上などの状況に応じて販売促進情報を変更でき、販売促進効果を高めることができる。
【００１７】
本発明の一つの実施態様に従うクーポン券の発券装置は、発券時刻からの経過時間に応じて特典の内容が変化する複数の販売促進情報を記憶した販促情報記憶手段と、一の販売促進情報を記載したクーポン券の発券要求を受け付ける受付手段と、現在時刻を取得する手段と、前記受付手段が受け付けた発券要求に基づいて、前記販促情報記憶手段から前記一の販売促進情報を取得する取得手段と、前記一の販売促進情報に含まれる発券時刻からの経過時間を、現在時刻に基づいて変換して、各特典が受けられる最終時刻を算出する手段と、前記一の販売促進情報に含まれる特典の内容と、その特典が受けられる前記最終時刻とを記載したクーポン券を発券する手段とを備える。
【００１８】
これにより、クーポン券に記載された特典を受けるためには何時まで店舗へ行かなければならないかが分かり、クーポン券の利用促進につながる。
【００１９】
好適な実施形態では、前記算出手段は、さらに、前記発券装置から前記店舗へ到達するまでに要する予想所要時間に基づいて、前記最終時刻を算出するようにしてもよい。
【００２０】
本発明の一つの実施態様に従う販売促進システムは、発券時刻からの経過時間に応じて特典の内容が変化する複数の販売促進情報を記憶した販促情報記憶手段と、顧客の識別情報の入力を受け付ける第１の受付手段と、一の販売促進情報を記載したクーポン券の発券要求を受け付ける第２の受付手段と、顧客の識別情報と、顧客の利用実績とを対応付けて記憶した顧客情報記憶手段と、第１の受付手段が受け付けた識別情報の顧客の利用実績に基づいて、第２の受付手段が発券要求を受け付けた一の販売促進情報を変更する手段と、第１の受付手段が受け付けた顧客の識別情報、発券時刻、および前記変更後の販売促進情報を記載したクーポン券を発券する発券手段と、前記クーポン券に記載されている顧客の識別情報の入力を受け付け、これに基づいて前記顧客情報記憶手段に記憶されている利用実績を更新する手段と、を備える。
【００２１】
本発明の一つの実施態様に従う販売促進システムは、クーポン券の発券装置と、クーポン券に記載されている情報の入力を受け付ける入力装置と、顧客情報記憶装置とを備えたクーポン券を利用した販売促進システムであって、前記顧客情報記憶装置は、顧客の識別情報と、顧客ランクとを対応付けて記憶する手段と、前記顧客ランクを更新する手段とを備え、前記発券装置は、発券時刻からの経過時間に応じて特典の内容が変化する複数の販売促進情報を記憶した販促情報記憶手段と、顧客の識別情報の入力を受け付ける第１の受付手段と、一の販売促進情報を記載したクーポン券の発券要求を受け付ける第２の受付手段と、顧客の識別情報と、顧客の過去の利用実績とを対応付けて記憶した顧客情報記憶手段と、第１の受付手段が受け付けた識別情報の顧客の過去の利用実績に基づいて、第２の受付手段が発券要求を受け付けた一の販売促進情報を変更する手段と、発券するクーポン券を識別する識別情報、発券時刻、および前記変更後の販売促進情報を記載したクーポン券を発券する発券手段と、前記クーポン券の識別情報と、第１の受付手段が受け付けた顧客の識別情報と、前記クーポン券の利用状況を示す情報とを記憶したクーポン券の発行履歴記憶手段と、前記入力装置からの通知に基づいて、前記クーポン券の利用状況を示す情報を更新する手段とを備え、前記入力装置は、前記クーポン券の識別情報の入力を受け付ける第３の受付手段と、第３の受付手段が受け付けた識別情報を前記発券装置へ通知する手段とを備え、前記顧客ランク更新手段は、前記発行履歴記憶手段のクーポン券の利用状況を示す情報に基づいて、前記顧客ランクを更新する。
【００２２】
【発明の実施の形態】
以下、本発明を適用した一実施形態に係る販売促進システムについて、図面を用いて説明する。
【００２３】
本システムの全体構成を図１に示す。本システムは、クーポン券の発券装置１と、各店舗に設置された店舗端末８とを備える。発券装置１および店舗端末８は、互いにネットワーク９を介して接続されている。クーポン券の発券装置１は、発券装置本体１０と、入力装置２と、表示装置３、プリンタ４とを備える。
【００２４】
発券装置本体１０および店舗端末８は、いずれも例えば汎用的なコンピュータシステムにより構成され、以下に説明する発券装置１０および店舗端末８内の個々の構成要素または機能は、例えば、コンピュータプログラムを実行することにより実現される。
【００２５】
入力装置２および表示装置３は、例えば、互いに一体となったタッチパネルなどを用いることができる。プリンタ４は、後述するようにクーポン券を印刷して、出力する。
【００２６】
発券装置本体１０は、さらに、以下に説明する各処理の制御を行う制御部１１と、現在時刻を知らせる計時部１２と、クーポン情報データベース１３と、顧客データベース１４と、発券データベース１５と、天気情報データベース１６と、売上データベース１７と、地図データベース１８とを備える。
【００２７】
クーポン情報データベース１３は、クーポンテーブル２１と、店舗テーブル２２とを有する。顧客データベース１４は、顧客テーブル２３を有する。発券データベース１５は、発券履歴テーブル２４と、時間帯別発券カウンタテーブル２５とを有する。天気情報データベース１６は、地域テーブル２６と、天気コードテーブル２７と、天気テーブル２８とを有する。売上データベース１７は、売上テーブル２９を有する。
【００２８】
クーポンテーブル２１には、クーポン券を持参した顧客が受けられる特典の内容が発券時刻からの経過時間に応じて変化する複数の販売促進情報が、各店舗ごとに記憶されている。例えば、図２（ａ）に示すように、クーポン券の種別を示すクーポンコード２１１と、店舗コード２１２と、販売促進のためのインセンティブ情報２１３と、発券枚数２２４とを、そのデータ項目として有する。
【００２９】
本実施形態では、インセンティブ情報２１３には、発券からの経過時間（分）と、その経過時間までの割引率（％）が記憶されている。経過時間と割引率との組み合わせは複数有することができる。インセンティブ情報２１３の具体的な内容（例えば、経過時間を何分に設定するか、および割引率をどれくらいにするか）は、各店舗が独自に決めることができる。インセンティブ情報２１３は、更新可能としてもよい。例えば、店舗端末８または店舗経営者の携帯電話機（図示しない）などからネットワーク９を介してアクセスし、自己の店舗のインセンティブ情報２１３を更新することができる。
【００３０】
店舗テーブル２２は、発券装置１がクーポンを発券する対象の店舗に関する情報を記憶する。例えば、図２（ｂ）に示すように、店舗コード２２１と、店舗名２２２と、店舗住所２２３と、店舗電話番号２２４と、店舗からのコメント２２５と、時間帯係数２２６とをデータ項目として有する。時間帯係数２２６とは、インセンティブを強化したい所定の時間帯において、インセンティブを強化するための係数である。
【００３１】
顧客テーブル２３は、クーポン券を取得して利用する顧客に関す情報を記憶する。例えば、図３に示すように、顧客コード２３１と、氏名２３２と、顧客住所２３３と、顧客電話番号２２４と、年齢２２５と、性別２２６と、顧客ランク２２７とをデータ項目として有する。この顧客テーブル２３は、発券装置本体１０以外の情報処理装置であって、発券装置本体１０がネットワークなどを介してアクセスできる情報処理装置上に存在してもよい。顧客ランク２２７は後述するように、クーポン券の発券回数およびその利用回数（または利用率）によって定められる。
【００３２】
発券履歴テーブル２４は、発券装置１が発券したクーポン券の発券履歴を記憶する。例えば、図４（ａ）に示すように、発券番号２４１と、クーポンＩＤ２４２と、クーポンコード２４３と、発券日時２４４と、顧客コード２４５と、利用フラグ２４６とをデータ項目として有する。利用フラグ２４６は、発券したクーポン券が利用されたかどうかを示すフラグである。発券時にはフラグは未利用を示す“０”がセットされる。
【００３３】
時間帯別発券カウンタテーブル２５は、クーポン券の種類ごとに、時間帯別の発券実績を記憶する。例えば、図４（ｂ）に示すように、クーポンコード２５１と、発券年月日２５２と、時間帯別発券数２５３と、合計発券数２５４とをデータ項目として有する。ここでは、１時間ごとの発券枚数を記憶している。
【００３４】
地域テーブル２６は、地域ごとに地域コードを割り当てるためのテーブルである。例えば、図５（ａ）に示すように、地域コード２６１と地域名２６２とが対応付けられている。
【００３５】
天気コードテーブル２７は、天気に対して天気コードなどを割り当てるためのテーブルである。例えば、図５（ｂ）に示すように、天気コード２７１と、天気２７２と、インセンティブ係数２７３と、時間係数２７４とをデータ項目として有する。
【００３６】
天気テーブル２８は、例えば、図５（ｃ）に示すように、地域コード２６１ごとに、時間帯別の天気予報２６２が記憶されている。天気予報（予想される天気）は、天気コードで表されている。インセンティブ係数２７３とは、晴天時よりも割引率を上げ、インセンティブを強化するための係数である。時間係数２７４とは、晴天時よりもインセンティブが有効である時間を長くするための係数である。
【００３７】
天気テーブル２８に記憶されている情報は、例えば、ネットワーク９を介して接続された、図示しない天気予報情報提供サーバから取得することができる。
【００３８】
売上テーブル２９は、各店舗での売上金額および来客数を記憶する。例えば、図６に示すように、月日２９１と、店舗コード２９２と、売上金額２９３と、来客数２９４とをデータ項目として有する。売上テーブル２９のデータは、例えば、店舗端末８からネットワークを介して取得することもできる。
【００３９】
次に、上記の構成を有するクーポン券の発券装置１が行う処理について説明する。まず、クーポン券に記載される情報について図７を用いて説明する。本実施形態では、クーポン券５０に表示される情報に応じて、記載領域を３つに分けて管理する。すなわち、クーポン券５０は、店舗名称、店舗住所、電話番号等の店舗に関する情報を記載するための店舗領域５１と、顧客に来店や商品等購入のインセンティブを与えるインセンティブ情報を記載するための販促領域５２と、クーポンの発行時刻、クーポンＩＤ、バーコードなどを記載するための付加領域５３とを有する。
【００４０】
本実施形態に係るクーポン券の発券装置１は、例えば、駅前や繁華街などの人通りの多い街頭に設置すると好適である。そして、通りがかりの顧客は、この発券装置１からクーポン券を取得することができる。第１の発券処理手順について、図８のフローチャートを用いて説明する。
【００４１】
＜発券処理１＞
制御部１１が、表示装置３に店舗あるいはクーポン券の選択画面を表示させる。このときに、顧客が入力装置２を使ってそのうちの一つを選択して、クーポン券の発券要求をする（Ｓ１１）。なお、ステップＳ１１で顧客コードを入力させれば、後述するような顧客別の管理が可能となる。顧客コードの入力は、例えば、予め顧客コードを記録したカードを顧客へ渡しておき、図示しないカードリーダがこれを読み込むようにしてもよい。
【００４２】
制御部１１は、選択された店舗の店舗コード２１２あるいは選択されたクーポン券のクーポンコード２１１に基づいて、クーポンテーブル２１からインセンティブ情報２１３を取得する（Ｓ１２）。つぎに、店舗コード２２１をキーにして、店舗テーブル２２から店舗名２２２、店舗住所２２３、店舗電話番号２２４、店舗コメント２２５を取得する（Ｓ１３）。そして、計時部１２から現在時刻を取得する（Ｓ１４）。制御部１１は、ユニークなクーポンＩＤ（例えば、クーポンコードと発券枚数を任意に組み合わせる）を生成して、発券履歴データベース２４に発券履歴を格納し、クーポンテーブル２１の発券枚数２１４と時間帯別発券カウンタテーブル２５の時間帯別発券数２５３を更新する（Ｓ１５）。最後に、プリンタ４は、制御部１１からの指示を受けて店舗領域５１に店舗テーブル２２から取得した情報を、販促領域５２にインセンティブ情報を、付加領域５３に発行時刻をそれぞれ印刷し、クーポン券（図７参照）を出力する（Ｓ１６）。
【００４３】
このように、発券時刻から時間が経つほど割引率が下がっていくので、このクーポン券を手にした顧客が早く店舗へ行こうという気になることが期待できる。
【００４４】
この発券処理において、様々な処理または機能を追加することが可能である。例えば、販促領域５２に印刷したインセンティブ情報を示すバーコード５５ａおよび発行時刻を示すバーコード５５ｂをそれぞれ生成し、付加領域５３に印刷するようにしてもよい。この例を図９に示す。また、インセンティブ情報および現在時刻を示す２次元バーコードを用いてもよい。
【００４５】
あるいは、ステップＳ１５で生成したクーポンＩＤ５６を付加領域５３に印刷してもよい。この例を図１０に示す。さらに、クーポンＩＤをバーコード化して付加領域５３に印刷してもよい。なお、図１０の例では、クーポンＩＤ５６をラッキーナンバーとしてさらに特典を受けられる可能性があることが記載されている。さらに、顧客コードの入力を受け付けたときは、付加領域５３に顧客コードを印刷してもよい。
【００４６】
＜利用時の処理＞
上記のようにして発券されたクーポン券を顧客が各店舗へ持参すると、販促領域５２に示された特典を受けることができる。このとき、店舗端末８は以下のような機能を備えていてもよい。つまり、クーポン券にクーポンＩＤまたは顧客コードが印刷されている場合、店員が店舗端末８にクーポンＩＤまたは顧客コードを入力するか、または、クーポンＩＤを示すバーコードを読みとる。店舗端末８は、ここで入力されたクーポンＩＤまたは顧客コードを発券装置本体１０へ通知する。発券装置本体１０の制御部１１は、通知されたクーポンＩＤまたは顧客コードをキーにして、発券履歴テーブル２４の利用フラグ２４６を利用されたことを示す“１”に変更する。
【００４７】
これにより、発券装置１が発券したクーポン券が実際に利用されたかどうかを把握することができ、発券装置１による販売促進活動の効果を測定することが可能となる。
【００４８】
＜顧客ランクの更新＞
上記のようにして発券したクーポン券の利用状況を把握することができるようになると、顧客別の利用状況を把握することも可能となる。そして、顧客別の利用状況に基づいて、顧客をランク付けすることもできるようになる。以下、その具体的な処理について説明する。
【００４９】
まず、顧客にユニークな顧客コードを割り当てて顧客登録したときは、顧客ランク２３８は最低のランク３が設定される。以下の処理は、定期的（例えば、月に一回）に行うと好適である。
【００５０】
制御部１１は、発券履歴テーブル２４を参照し、顧客コード２４５をキーにして、所定期間または全期間の顧客別の発券回数および利用回数をカウントする。そして、制御部１１は、発券回数および利用回数、または利用回数のみに基づいて、顧客ランクを決定する。例えば、発券回数が所定数以上の顧客を１ランク上のランク２にし、ランク２の顧客のうち、さらに、利用回数が所定回数以上、または利用率が所定値以上の顧客を、最上のランク１にしてもよい。このようにして顧客のランキングをすることができる。そして、後述するように、この顧客ランクを用いてインセンティブ情報を変更してもよい。
【００５１】
＜発券処理２＞
第１の発券処理手順では、クーポンテーブル２１から取得したインセンティブ情報２１３をそのまま販促領域５２に印刷していた。次に、第２の発券処理手順として、インセンティブ情報２１３に変更を加えて販促領域５２に印刷する場合について説明する。
【００５２】
第２の発券処理手順のフローチャートを図１１に示す。このフローチャートを見れば分かるように、発券処理１との相違はインセンティブ情報を変換するステップＳ２１である。ステップＳ２１でインセンティブ情報が変換されると、ステップＳ１６において、変換されたインセンティブ情報が販促領域５２に印刷される。ステップＳ２１としては複数の処理態様が適用可能であり、それぞれについて説明する。なお、以下の変換処理は、任意に組み合わせることができる。
【００５３】
第１の変換処理は、インセンティブ情報に含まれる発券時刻からの経過時間を最終有効時刻へ変換する処理である。インセンティブ情報２１３に含まれている発券時刻からの経過時間と計時部１２から取得した現在時刻とから、それぞれの割引を受けられる最終時刻を算出する。例えば、現在時刻が午後７時であるときに、「発券時刻から３０分以内なら１０％オフ」というインセンティブ情報は、「午後７時３０分までなら１０％オフ」と変換される。
【００５４】
第２の変換処理は、発券装置１から店舗までの距離に基づいて、インセンティブ情報２１３を変換する処理である。例えば、図示しない記憶装置に格納されている現在位置（発券装置の設置位置）と店舗テーブル２２の店舗住所２２３および地図データベース１４の地図情報に基づいて、店舗への道のり距離を求める。ここで道のり距離が求まると、これに応じた道のり係数を求める。ここで、道のり係数は、距離に応じてインセンティブを強化する係数であり、地図データベース１４に記憶されている。そして、インセンティブ情報２１３の各割引率に、道のり距離に応じた道のり係数を乗算し、割引率をアップする。これにより、発券装置１から店舗までの移動に時間がかかるようなときは、割引率を大きくして、販売促進効果を高めることができる。
【００５５】
第３の変換処理は、インセンティブを強化したい時間帯が予め定められていて、計時部１２から取得した現在の時刻がその時間帯に属する場合に、インセンティブ情報２１３を変換する処理である。例えば、制御部１１が、現在が所定の時間帯に属するかどうかを判定し、属する場合は各店舗の時間帯係数２２６を取得し、各割引率に時間帯係数を乗算して、割引率をアップする。
【００５６】
第４の変換処理は、天気データベース１６に記憶されている天気情報に基いてインセンティブ情報を変換する処理である。例えば、発券装置１が設置されている場所の地域コードを地域テーブル２６から取得する。さらに、地域コードに基づいて天気テーブル２８から現在の天気または将来（例えば１〜２時間先）の予想される天気の天気コードを取得する。そして、天気コードテーブル２７から、この天気コードに対応したインセンティブ係数２７３および時間係数２７４を取得する。
【００５７】
そして、インセンティブ情報に含まれている各割引率に、ここで取得したインセンティブ係数２７３をかけ、インセンティブ情報に含まれている経過時間にここで取得した時間係数２７４をかけて、インセンティブ情報を変更する。このとき、インセンティブ係数２７３および時間係数２７４は、図５（ｂ）に例示したように、晴れのときは１であり、雨、大雪のときは１よりも大きな値となっている。つまり、悪天候のときには晴天時よりもさらに顧客に訴求するようにインセンティブを強化している。
【００５８】
第５の変換処理は、同時間帯の過去の発券実績と比較して、現在（本日）の発券枚数が少ないときは、インセンティブを強化するようインセンティブ情報を変更する処理を行う。例えば、制御部１１が、時間帯別発券カウンタテーブル２５を参照し、過去の時間帯別の発券実績として、例えば、最近１週間の平均を算出する。そして、この過去の発券実績と本日の現在までの発券状況とを比較する。例えば、現在の発券枚数が過去の同時間帯での発券枚数の実績と比較して、一定以上の割合（例えば３０％）で少ないときは、割引率をアップするなどしてインセンティブ情報を変更し、インセンティブを強化する。
【００５９】
第６の変換処理は、各店舗の売上状況に応じて、インセンティブを変更する処理を行う。これは、売上テーブル２９に記憶されている売上情報に基づいて、インセンティブ情報を変更する。例えば、制御部１１が売上金額２９３および来客数２９４に基づいて、店舗ごとに限界割引率または限界割引額を算出し、インセンティブ情報を変更する。
【００６０】
第７の変換処理は、顧客ランクに応じて、顧客ごとにインセンティブを変更する処理を行う。このときは、制御部１１が顧客ランク２３８を参照し、顧客ランクに応じてインセンティブ情報を変更する。例えば、顧客ランクがランク３のときは、インセンティブ情報を変更せずにそのままとする。顧客ランクがランク２のときは、ランク３よりも顧客にとって有利なようにインセンティブ情報を変更する。顧客ランクがランク１のときは、ランク２の場合よりもさらに顧客にとって有利なようにインセンティブ情報を変更する。前述したように、顧客ランクは本システムの利用回数に応じて更新されるようにすれば、利用回数の多い顧客ほど、有利な特典を受けられる。
【００６１】
以上説明したような変換処理を行うことにより、発券装置１は、様々な態様のインセンティブ情報を記載したクーポン券を発券することができる。この結果、顧客にとって魅力的な特典が与えられ、発券したクーポン券の利用促進が期待できる。
【００６２】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【図１】本発明を適用した一実施形態に係る販売促進システムの全体構成図である。
【図２】クーポン情報データベースの一例を示す図である。
【図３】顧客データベースの一例を示す図である。
【図４】発券データベースの一例を示す図である。
【図５】天気情報データベースの一例を示す図である。
【図６】売上データベースの一例を示す図である。
【図７】クーポン券の一例を示す図である。
【図８】第１の発券処理手順を示すフローチャートである。
【図９】本発明にかかる第一の実施形態における図である。
【図１０】本発明にかかる第一の実施形態における図である。
【図１１】第２の発券処理手順を示すフローチャートである。
【符号の説明】
１…クーポン券の発券装置、２…入力装置、３…表示装置、４…プリンタ、８…店舗端末、９…ネットワーク、１０…発券装置本体、１１…制御部、１２…計時部、１３…クーポン情報データベース、１４…顧客データベース、１５…発券データベース、１６…天気情報データベース、１７…売上データベース、１８…地図データベース。
【図１】
2004272463.tif 000003
【図２】
2004272463.tif 000004
【図３】
2004272463.tif 000005
【図４】
2004272463.tif 000006
【図５】
2004272463.tif 000007
【図６】
2004272463.tif 000008
【図７】
2004272463.tif 000009
【図８】
2004272463.tif 000010
【図９】
2004272463.tif 000011
【図１０】
2004272463.tif 000012
【図１１】
2004272463.tif 000013